(57)【要約】      （修正有）【課題】血圧値の測定精度が向上する血圧計用カフ、を提供する。【解決手段】血圧計用カフは、被験者の上腕に巻き付けられる外装カバー１１０と、長手方向における外装カバー１１０の一方端側に設けられ、外装カバー１１０が被験者の上腕に巻き回された時に、長手方向における外装カバー１１０の他方端側が挿通されるリング１６０を備える。さらに、外装カバー１１０の外表面に、外装カバー１１０の他方端側から一方端側に向けて帯状に設けられ、リング１６０に挿通され、リング１６０を基点に折り返された外装カバー１１０の他方端側の部分を、被験者の上腕に巻き回された外装カバー１１０の部分に固定するための面ファスナと、面ファスナとの摩擦を増大させる摩擦増大手段として、リング１６０の表面を覆うグリップ部とを備える。【選択図】図１
0003174765.tif 000002
【実用新案登録請求の範囲】
【請求項１】
帯状に延在する外観を有し、その帯状に延在する長手方向に沿って湾曲するように被験者の被測定部位に巻き付けられる外装体と、
前記外装体に収容され、流体が供給される流体袋と、
長手方向における前記外装体の一方端側に設けられ、前記外装体が被験者の被測定部位に巻き回された時に、長手方向における前記外装体の他方端側が挿通されるリング部材と、
前記外装体の外表面に、前記外装体の他方端側から一方端側に向けて帯状に設けられ、前記リング部材に挿通され、前記リング部材を基点に折り返された前記外装体の他方端側の部分を、被験者の被測定部位に巻き回された前記外装体の部分に固定するための面ファスナと、
前記リング部材に設けられ、前記面ファスナとの摩擦を増大させる摩擦増大手段とを備える、血圧計用カフ。
【請求項２】
前記摩擦増大手段は、前記リング部材の表面を覆う被覆層であり、
前記被覆層は、前記面ファスナに対する摩擦係数が、前記リング部材と前記面ファスナとの間の摩擦係数よりも大きくなる材料から形成されている、請求項１に記載の血圧計用カフ。
【請求項３】
前記摩擦増大手段として、前記リング部材の表面に凹凸形状が形成されている、請求項１または２に記載の血圧計用カフ。
【請求項４】
前記面ファスナは、前記外装体の他方端側に設けられる第１係合部と、前記外装体の他方端側から一方端側に向けて帯状に延在し、圧接された前記第１係合部と係合する第２係合部とを有し、
前記外装体の被測定部位への巻き付け時、前記第２係合部が前記リング部材により折り返される位置に配置され、
前記摩擦増大手段は、前記第２係合部との摩擦を増大させるように設けられる、請求項１から３のいずれか１項に記載の血圧計用カフ。
【考案の詳細な説明】
【技術分野】
【０００１】
この考案は、一般的には、血圧計用カフに関し、より特定的には、血圧計の構成部品であって、血圧測定時に被験者の被測定部位に装着される血圧計用カフに関する。
【背景技術】
【０００２】
従来の血圧計用カフに関して、たとえば、特開２０１０−２５２８３６号公報には、生体への装着性を大幅に向上させることを目的とした生体圧迫装置および血圧測定装置が開示されている（特許文献１）。また、特開２００７−２７５４８３号公報には、上腕に対する装着作業を容易化することを目的とした血圧計用カフが開示されている（特許文献２）。
【０００３】
一般的に、血圧計用カフの外装体には、カフが被験者の被測定部位に巻き付けられた状態を維持するための固定手段が設けられる。特許文献１および２に開示されるように、このような固定手段として、ループファスナおよびフックファスナからなる面ファスナを利用する構造が知られている。
【０００４】
その構造について、代表的に特許文献１に開示された生体圧迫装置に照らして説明すると、特許文献１に開示された生体圧迫装置は、自動血圧計用腕帯（カフ）として用いられる。カフは、流体袋を収納する帯状体（外装体）を備える。帯状体の長手方向の一方端には、長円形状に形成された丸鋼からなる留め金具が設けられている。カフは、さらに、留め金具に挿入され、留め金具を介して折り返された帯状体の他方端を固定する固定手段として、面ファスナを備える。面ファスナは、ループシートおよびフックシートからなる。帯状体の外面カバーは、ループシートから形成されている。フックシートは、そのループシートの他方端側に縫合されている。
【先行技術文献】
【特許文献】
【０００５】
【特許文献１】特開２０１０−２５２８３６号公報
【特許文献２】特開２００７−２７５４８３号公報
【考案の概要】
【考案が解決しようとする課題】
【０００６】
上記の特許文献１に開示されるカフにおいては、その装着時、被験者の上腕に巻き回された帯状体が、留め金具により折り返されるとともに、上腕を締め付ける方向に引っ張られる。そして、帯状体の他方端側に設けられたフックシートが、帯状体の外面カバーとして設けられたループシートに接合することによって、カフが被験者の上腕に巻き付けられた状態が得られる。
【０００７】
しかしながら、このように装着されたカフにおいて流体袋への流体の給排出を実施すると、留め金具を境に内周側に位置する帯状体の部分と外周側に位置する帯状体の部分との間で、帯状体に作用する張力にばらつきが生じる場合がある。この場合、帯状体が上記内周側部分と外周側部分との間でずれを引き起こす懸念が生じる。その結果、これが振動となって流体袋の内圧に伝播することになり、ノイズとなって測定結果に重畳することで高精度の測定の妨げとなってしまう。
【０００８】
そこでこの考案の目的は、上記の課題を解決することであり、血圧値の測定精度が向上する血圧計用カフを提供することである。
【課題を解決するための手段】
【０００９】
この考案に従った血圧計用カフは、外装体と、外装体に収容され、流体が供給される流体袋と、リング部材と、面ファスナと、摩擦増大手段とを備える。外装体は、帯状に延在する外観を有し、その帯状に延在する長手方向に沿って湾曲するように被験者の被測定部位に巻き付けられる。リング部材は、長手方向における外装体の一方端側に設けられる。リング部材は、外装体が被験者の被測定部位に巻き回された時に、長手方向における外装体の他方端側が挿通される。面ファスナは、外装体の外表面に、外装体の他方端側から一方端側に向けて帯状に設けられる。面ファスナは、リング部材に挿通され、リング部材を基点に折り返された外装体の他方端側の部分を、被験者の被測定部位に巻き回された外装体の部分に固定するためのものである。摩擦増大手段は、リング部材に設けられ、面ファスナとの摩擦を増大させる。
【００１０】
このように構成された血圧計用カフによれば、外装体とともに面ファスナがリング部材によって折り返される。この際、リング部材に摩擦増大手段を設けることによって、外装体およびリング部材間の摩擦を積極的に増大させることができる。これにより、血圧測定時における外装体のずれを防ぎ、血圧値の測定精度を向上させることができる。
【００１１】
また好ましくは、摩擦増大手段は、リング部材の表面を覆う被覆層である。被覆層は、面ファスナに対する摩擦係数が、リング部材と面ファスナとの間の摩擦係数よりも大きくなる材料から形成されている。
【００１２】
このように構成された血圧計用カフによれば、外装体がリング部材によって折り返される位置で、リング部材を覆う被覆層と、面ファスナとが接触する。この際、被覆層が、面ファスナに対する摩擦係数が、リング部材と面ファスナとの間の摩擦係数よりも大きくなる材料から形成されるため、外装体およびリング部材間の摩擦を積極的に増大させることができる。これにより、血圧測定時における外装体のずれを防ぎ、血圧値の測定精度を向上させることができる。
【００１３】
また好ましくは、摩擦増大手段として、リング部材の表面に凹凸形状が形成されている。
【００１４】
このように構成された血圧計用カフによれば、外装体がリング部材によって折り返される位置で、リング部材の表面と、面ファスナとが接触する。この際、そのリング部材の表面を凹凸形状に形成することによって、外装体およびリング部材間の摩擦を積極的に増大させることができる。これにより、血圧測定時における外装体のずれを防ぎ、血圧値の測定精度を向上させることができる。
【００１５】
また好ましくは、面ファスナは、外装体の他方端側に設けられる第１係合部と、外装体の他方端側から一方端側に向けて帯状に延在し、圧接された第１係合部と係合する第２係合部とを有する。外装体の被測定部位への巻き付け時、第２係合部がリング部材により折り返される位置に配置される。摩擦増大手段は、第２係合部との摩擦を増大させるように設けられる。
【００１６】
このように構成された血圧計用カフによれば、面ファスナの第２係合部がリング部材により折り返される位置に配置されるため、摩擦増大手段が第２係合部との摩擦を増大させるように設けられる。
【考案の効果】
【００１７】
以上に説明したように、この考案に従えば、血圧値の測定精度が向上する血圧計用カフを提供することができる。
【図面の簡単な説明】
【００１８】
【図１】この考案の実施の形態における血圧計用カフを備えた血圧計を示す斜視図である。
【図２】図１中の血圧計用カフを外表面側から見た場合の展開図である。
【図３】図２中のＩＩＩ−ＩＩＩ線上に沿った血圧計用カフを示す断面図である。
【図４】図１中の血圧計用カフの装着状態を示す断面図である。
【図５】図１中の外装カバーに設けられたリングを示す断面図である。
【図６】図１中の血圧計の機能ブロックの構成を示す図である。
【図７】図１中の血圧計の測定動作の流れを示す図である。
【図８】図１中の外装カバーに設けられたリングの第１変形例を示す断面図である。
【図９】図１中の外装カバーに設けられたリングの第２変形例を示す断面図である。
【考案を実施するための形態】
【００１９】
この考案の実施の形態について、図面を参照して説明する。なお、以下で参照する図面では、同一またはそれに相当する部材には、同じ番号が付されている。
【００２０】
図１は、この考案の実施の形態における血圧計用カフを備えた血圧計を示す斜視図である。図１を参照して、血圧計１は、本体１０と、血圧計用カフ１００Ａと、エア管４０とを有する。エア管４０は、分離されて構成された本体１０と血圧計用カフ１００Ａとを接続する。エア管４０は、たとえば、可撓性を有する樹脂製のチューブから構成されている。
【００２１】
本体１０は、箱状のケーシング１１を有する。ケーシング１１の上面には、表示部２１および操作部２３が設けられている。本体１０は、測定時においてテーブルなどの載置面に載置されて使用される。血圧計用カフ１００Ａは、被測定部位としての上腕に巻き付け可能な帯状の形態を有する。血圧計用カフ１００Ａは、測定時において上腕に装着されて使用される。血圧計用カフ１００Ａは、上腕に巻き付けられた装着状態において環状の形態をとる。
【００２２】
図２は、図１中の血圧計用カフを外表面側から見た場合の展開図である。図３は、図２中のＩＩＩ−ＩＩＩ線上に沿った血圧計用カフを示す断面図である。
【００２３】
図１から図３を参照して、血圧計用カフ１００Ａは、その主要な構成として、外装カバー１１０と、空気袋１５０と、リング１６０と、面ファスナ１４５とを有する。
【００２４】
外装カバー１１０は、略矩形状の平面視を有する。外装カバー１１０は、図２中の一方端側と他方端側との間で帯状に延在する。すなわち、図２中の一方端側と他方端側とを結ぶ方向が、外装カバー１１０の長手方向である。外装カバー１１０は、血圧計用カフ１００Ａの装着時、外装カバー１１０の長手方向に沿って湾曲するように上腕に巻き付けられる。
【００２５】
外装カバー１１０は、内表面１１０ａおよび外表面１１０ｂを有する。内表面１１０ａは、血圧計用カフ１００Ａを被験者の上腕に巻き回した状態において内周側に配置され、被験者の上腕と接触する。外表面１１０ｂは、血圧計用カフ１００Ａを被験者の上腕に巻き回した状態において外周側に位置する。外表面１１０ｂは、内表面１１０ａの裏側に配置されている。
【００２６】
外装カバー１１０は、外側カバー部材１２０、内側カバー部材１３０およびバイアステープ１４０から構成されている。
【００２７】
外側カバー部材１２０は、血圧計用カフ１００Ａを被験者の上腕に巻き回した状態において外周側に配置される。上記の外表面１１０ｂは、外側カバー部材１２０に形成されている。内側カバー部材１３０は、血圧計用カフ１００Ａを被験者の上腕に巻き回した状態において内周側に配置される。上記の内表面１１０ａは、内側カバー部材１３０に形成されている。外側カバー部材１２０と内側カバー部材１３０とが重ね合わされ、それらの周縁がバイアステープ１４０によって覆われた状態で接合（たとえば、縫合や溶着等）されることによって、外装カバー１１０が袋状に形成されている。
【００２８】
外側カバー部材１２０としては、空気袋１５０が被験者の上腕の周上で径方向外側に向かって膨張することを抑制するために、内側カバー部材１３０に比して伸縮性に乏しい部材が利用されている。一方、内側カバー部材１３０としては、空気袋１５０の膨張によって上腕に加えられる圧迫力が当該内側カバー部材１３０によって阻害されないように、十分に伸縮性に富んだ部材が好適に利用されている。このような観点から、外装カバー１１０としては、伸縮性の大小を比較的容易に調整することができるポリアミド、ポリエステル等の合成繊維からなる布地等が利用されている。
【００２９】
外側カバー部材１２０および内側カバー部材１３０によって規定される外装カバー１１０の内部の空間には、空気袋１５０が収容されている。空気袋１５０は、略矩形状の平面視を有する。空気袋１５０は、その長手方向が血圧計用カフ１００Ａの長手方向に沿って配置されるように外装カバー１１０に内包されている。空気袋１５０は、外装カバー１１０の長手方向の一端端側（図２を参照のこと）に偏って配置されている。空気袋１５０は、好適には樹脂シートを用いて形成された袋状の部材にて構成され、その内部に膨縮空間を有する。
【００３０】
空気袋１５０には、ニップル１５１が取り付けられている。ニップル１５１は、血圧計用カフ１００Ａを被験者の上腕に巻き回した状態において外周側に位置することとなる空気袋１５０の外表面に取り付けられている。ニップル１５１は、外側カバー部材１２０を貫通し、外装カバー１１０の外側に引き出されている。ニップル１５１には、エア管４０が接続されている。これにより、エア管４０を通じて膨縮空間に空気が供給されることにより空気袋１５０が膨張し、エア管４０を通じて膨縮空間から空気が排出されることにより空気袋１５０が収縮する。
【００３１】
空気袋１５０を構成する樹脂シートの材質としては、伸縮性に富んでおり上述した膨縮空間からの漏気がないものであればどのようなものでも利用可能である。このような観点から、樹脂シートの好適な材質としては、エチレン−酢酸ビニル共重合体、軟質塩化ビニル、ポリウレタン、ポリアミド等が挙げられる。
【００３２】
図４は、図１中の血圧計用カフの装着状態を示す断面図である。図１から図４を参照して、外装カバー１１０の長手方向の一方端側には、リング１６０が設けられている。
【００３３】
より具体的には、リング１６０は、リング固定布１４３を用いて外装カバー１１０の外側カバー部材１２０（外表面１１０ｂ）に取り付けられている。リング固定布１４３は、リング１６０の一部を覆うように巻き付けられた状態で、その一部が外側カバー部材１２０に接合（たとえば、縫合や溶着等）されることによって、リング１６０を外装カバー１１０に固定している。
【００３４】
リング１６０は、ニッケルメッキされた丸鋼から形成されている。リング１６０は、リング形状の外観を有する。リング１６０は、長径と短径とを有する長円形状を有し、その短径が延びる方向と外装カバー１１０の長手方向とが一致し、その長径が延びる方向と外装カバー１１０の短手方向とが一致するように設けられている。なお、リング１６０は、周方向に途切れた不完全なリング形状を有してもよい。この場合、リング１６０は、その途切れた部分がリング固定布１４３によって覆われるように設けられる。
【００３５】
リング１６０は、血圧計用カフ１００Ａの上腕への巻き付け固定の際に補助具として機能する。外装カバー１１０が被験者の上腕に巻き回された時に、外装カバー１１０の他方端側が、リング１６０に挿通され、さらにリング１６０を基点に折り返される。
【００３６】
面ファスナ１４５は、面的に着脱可能なファスナ（留め具）である。面ファスナ１４５は、上腕に巻き回された外装カバー１１０を固定することで血圧計用カフ１００Ａが上腕に対して巻き付けられた状態を維持するための固定手段として設けられている。面ファスナ１４５は、外装カバー１１０の外側カバー部材１２０（外表面１１０ｂ）に設けられている。面ファスナ１４５は、全体的に、外装カバー１１０の一方端側から他方端側に向けて帯状に延びる形状を有する。
【００３７】
面ファスナ１４５の具体的な構造について説明すると、面ファスナ１４５は、第１係合部としてのフックファスナ１４２と、第２係合部としてのループファスナ１４１とから構成されている。フックファスナ１４２には、微細なフック構造が設けられ、ループファスナ１４１には、微細なループ構造が設けられている。フックファスナ１４２およびループファスナ１４１を互いに圧接させ、フックファスナ１４２に設けられたフック構造がループファスナ１４１に設けられたループ構造に引っ掛かることによって、フックファスナ１４２とループファスナ１４１とが面的に接合される。
【００３８】
ループファスナ１４１およびフックファスナ１４２は、いずれも、略矩形状の平面視を有する。ループファスナ１４１とフックファスナ１４２とは、外装カバー１１０の長手方向に沿って並んで設けられている。フックファスナ１４２は、外装カバー１１０の他方端側に設けられている。フックファスナ１４２は、外装カバー１１０の長手方向において、リング１６０が設けられた端部とは反対側の端部に設けられている。
【００３９】
ループファスナ１４１は、外装カバー１１０の他方端側から一方端側に向けて帯状に延在している。ループファスナ１４１は、外装カバー１１０の他方端側においてフックファスナ１４２に隣り合う位置と、外装カバー１１０の一方端側においてリング１６０と隣り合う位置との間で帯状に延在している。外装カバー１１０の長手方向におけるループファスナ１４１の長さは、外装カバー１１０の長手方向におけるフックファスナ１４２の長さよりも大きい。
【００４０】
なお、本実施の形態では、外装カバー１１０とは別体に設けられたループファスナ１４１が、外装カバー１１０の外側カバー部材１２０に接合されている場合を説明したが、これに限られず、外装カバー１１０の外側カバー部材自身がループファスナにより形成されてもよい。
【００４１】
図４を参照して、外装カバー１１０の他方端側が、リング１６０に挿通され、さらにリング１６０を基点に折り返されることにより、ループファスナ１４１およびフックファスナ１４２が対面する。このため、当該状態において、これらループファスナ１４１およびフックファスナ１４２を互いに接合することにより、血圧計用カフ１００Ａの環状の形態が維持されて血圧計用カフ１００Ａが上腕に対して固定されることになる。
【００４２】
この際、ループファスナ１４１は、外装カバー１１０の長手方向に帯状に延びる形状を有するため、被験者は、自らの上腕の周長にかかわらず、フックファスナ１４２をループファスナ１４１のいずれかの位置に接合することができる。一例として、血圧計用カフ１００Ａが適応する被験者の腕周は、２２ｃｍ以上４２ｃｍ以下の範囲である。
【００４３】
図４中に示す血圧計用カフ１００Ａの装着状態において、外装カバー１１０は、内周側部分１１１および外周側部分１１２を有する。内周側部分１１１は、外装カバー１１０の一方端側とリング１６０との間に規定され、被験者の上腕に巻き回されて環状をなす。外周側部分１１２は、リング１６０と外装カバー１１０の他方端側との間に規定され、内周側部分１１１の外表面１１０ｂに重ね合わされる。ループファスナ１４１が設けられた領域は、内周側部分１１１から外周側部分１１２の一部に渡り、フックファスナ１４２が設けられた領域は、外周側部分１１２に含まれる。このような構成により、ループファスナ１４１は、外装カバー１１０とともに、リング１６０によって折り返されている。
【００４４】
なお、ループファスナ１４１が設けられた範囲にフックファスナが設けられ、フックファスナ１４２が設けられた範囲にループファスナが設けられてもよい。
【００４５】
図５は、図１中の外装カバーに設けられたリングを示す断面図である。図５を参照して、本実施の形態における血圧計用カフ１００Ａは、面ファスナ１４５との摩擦を増大させるための摩擦増大手段としてグリップ部５２をさらに有する。グリップ部５２は、リング５１の表面を覆うように設けられている。
【００４６】
グリップ部５２は、リング５１の全面を覆うように設けられている。グリップ部５２は、リング５１の表面において、血圧計用カフ１００Ａの装着時にループファスナ１４１と接触すると想定される範囲、たとえば図２中においてリング固定布１４３から露出する範囲を覆うように設けられてもよい。
【００４７】
グリップ部５２は、面ファスナ１４５に対する摩擦係数が、リング５１と面ファスナ１４５との間の摩擦係数よりも大きくなる材料から形成されている。より具体的には、グリップ部５２は、ループファスナ１４１に対する摩擦係数が、リング５１とループファスナ１４１との間の摩擦係数よりも大きくなる材料から形成されている。グリップ部５２は、リング５１を形成する材料と比較して、ループファスナ１４１との間の摩擦係数が大きくなる材料から形成されている。
【００４８】
ここで比較する摩擦係数は、接触条件を等しくした状態で得られる摩擦係数である。すなわち、接触面の表面粗さや清浄度、温度や湿度を等しくし、その場合に得られる摩擦係数を比較する。なお、比較する摩擦係数は、動摩擦係数であってもよいし、静摩擦係数であってもよい。
【００４９】
本実施の形態では、グリップ部６１が、軟質塩化ビニルまたはエチレンプロピレンゴムから形成されている。このようなグリップ部６１は、たとえば、インサート成形によってリング５１の表面に設けられる。
【００５０】
続いて、図１中の血圧計１の機能ブロックの構成について説明する。図６は、図１中の血圧計の機能ブロックの構成を示す図である。
【００５１】
図６を参照して、本体１０は、上述した表示部２１および操作部２３に加え、制御部２０と、メモリ部２２と、電源部２４と、加圧ポンプ３１と、排気弁３２と、圧力センサ３３と、加圧ポンプ駆動回路３４と、排気弁駆動回路３５と、発振回路３６とを有する。加圧ポンプ３１、排気弁３２および圧力センサ３３は、血圧計１に具備されるエア系コンポーネント３０に相当し、上述したエア管４０を介して空気袋１５０に接続されている。このうち、加圧ポンプ３１および排気弁３２は、空気袋１５０を加減圧するための加減圧機構に相当する。
【００５２】
制御部２０は、たとえば、ＣＰＵ（Central Processing Unit）にて構成され、血圧計１の全体を制御するための手段である。メモリ部２２は、たとえば、ＲＯＭ（Read-Only Memory）やＲＡＭ（Random-Access Memory）にて構成され、血圧値測定のための処理手順を制御部２０等に実行させるためのプログラムを記憶したり、測定結果等を記憶したりするための手段である。
【００５３】
表示部２１は、たとえば、ＬＣＤ（Liquid Crystal Display）にて構成され、測定結果等を表示するための手段である。操作部２３は、使用者等による操作を受付けてこの外部からの命令を制御部２０や電源部２４に入力するための手段である。電源部２４は、制御部２０に電力を供給するための手段である。
【００５４】
制御部２０は、加圧ポンプ３１および排気弁３２を駆動するための制御信号を加圧ポンプ駆動回路３４および排気弁駆動回路３５にそれぞれ入力したり、測定結果としての血圧値をメモリ部２２や表示部２１に入力したりする。また、制御部２０は、圧力センサ３３によって検出された圧力値に基づいて被験者の血圧値を取得する血圧情報取得部（不図示）を含んでおり、この血圧情報取得部によって取得された血圧値が、測定結果として上述したメモリ部２２や表示部２１に入力される。
【００５５】
なお、血圧計１は、測定結果としての血圧値を外部の機器（たとえばＰＣ（Personal Computer）やプリンタ等）に出力する出力部を別途有してもよい。出力部としては、たとえば、シリアル通信回線や各種の記録媒体への書き込み装置等が利用可能である。
【００５６】
加圧ポンプ駆動回路３４は、制御部２０から入力された制御信号に基づいて加圧ポンプ３１の動作を制御する。加圧ポンプ３１は、空気袋１５０の膨縮空間に空気を供給することにより空気袋１５０の内圧（以下、「カフ圧」とも称する）を加圧するためのものであり、その動作が上述した加圧ポンプ駆動回路３４によって制御される。
【００５７】
排気弁駆動回路３５は、制御部２０から入力された制御信号に基づいて排気弁３２の開閉動作を制御する。排気弁３２は、空気袋１５０の内圧を維持したり、空気袋１５０の膨縮空間を外部に開放してカフ圧を減圧したりするためのものであり、その動作が上述した排気弁駆動回路３５によって制御される。
【００５８】
圧力センサ３３は、静電容量型のセンサであり、空気袋１５０の内圧に応じてその静電容量が変化する。発振回路３６は、圧力センサ３３の静電容量に応じた発振周波数の信号を生成し、生成した信号を制御部２０に入力する。
【００５９】
図７は、図１中の血圧計の測定動作の流れを示す図である。次に、この図７を参照して、本実施の形態における血圧計１の測定動作の流れについて説明する。なお、図７に示すフローチャートに従うプログラムは、上述したメモリ部２２に予め記憶されており、制御部２０がメモリ部２２からこのプログラムを読み出して実行することにより、その処理が実行されるものである。
【００６０】
血圧値を測定するに際しては、血圧計用カフ１００Ａが予め被験者の上腕に巻き付けられて装着される。この状態において、本体１０に設けられた操作部２３が操作されて血圧計１の電源がオンにされると、制御部２０に対して電源部２４から電力が供給されて制御部２０が駆動する。図７に示すように、制御部２０は、その駆動後において、まず血圧計１の初期化を行なう（ステップＳ１）。
【００６１】
次に、制御部２０は、測定開始の指示を待ち、操作部２３が操作されて測定開始の指示が入力されると、排気弁３２を閉塞させるとともに加圧ポンプ３１の駆動を開始し、空気袋１５０のカフ圧を徐々に上昇させる（ステップＳ２）。
【００６２】
この空気袋１５０を加圧する過程において、制御部２０は、公知の手順で最高血圧および最低血圧を算出する（ステップＳ３）。具体的には、制御部２０は、空気袋１５０のカフ圧を上昇させる過程において発振回路３６から得られる発振周波数よりカフ圧を取得し、取得したカフ圧に重畳した脈波情報を抽出する。そして、制御部２０は、抽出された脈波情報に基づいて上記血圧値を算出する。
【００６３】
ステップＳ３において血圧値が算出されると、制御部２０は、加圧ポンプ３１の駆動を停止するとともに排気弁３２を開放することで空気袋１５０内の空気を完全に排気し（ステップＳ４）、測定結果としての血圧値を表示部２１に表示するとともに、当該血圧値をメモリ部２２に格納する（ステップＳ５）。
【００６４】
その後、制御部２０は、電源オフの指令を待ってその動作を終了する。なお、以上において説明した測定方式は、空気袋１５０の加圧時に脈波を検出するいわゆる加圧測定方式に基づいたものであるが、空気袋１５０の減圧時に脈波を検出するいわゆる減圧測定方式を採用することも当然に可能である。
【００６５】
続いて、本実施の形態における血圧計用カフ１００Ａによって奏される作用効果について説明する。
【００６６】
図４を参照して説明したように、本実施の形態における血圧計用カフ１００Ａにおいては、外装カバー１１０の他方端側の部分（外周側部分１１２）が、被験者の上腕に巻き回された外装カバー１１０の部分（内周側部分１１１）に重なった装着状態がとられる。このような装着方法を採用するカフにおいては、上記のステップＳ２にて空気袋１５０への空気の供給を開始すると、内周側部分１１１と外周側部分１１２との間で、外装カバー１１０に作用する張力に差が生じる場合がある（図４中において、Ｆ１＞Ｆ２もしくはＦ１＜Ｆ２）。この場合、空気袋１５０の膨張に伴って、外装カバー１１０の内周側部分１１１が他方端側に微小に引き出されたり、外装カバー１１０の外周側部分１１２が一方端側に微小に引き込まれたりする懸念がある。幅広い腕周に対応すべく外装カバー１１０の全長をより大きく設定した場合、内周側部分１１１と外周側部分１１２との重なりが長くなるケースが増えるため、このような懸念が増大する。
【００６７】
一方、本実施の形態では、外装カバー１１０の折り返し位置でループファスナ１４１と接触するリング５１の表面が、高摩擦係数を有する材料から形成されたグリップ部５２によって覆われている。このような構成により、ループファスナ１４１およびリング１６０間の摩擦を積極的に増大させ、血圧測定時における外装カバー１１０のずれを防ぐことができる。
【００６８】
図８は、図１中の外装カバーに設けられたリングの第１変形例を示す断面図である。図９は、図１中の外装カバーに設けられたリングの第２変形例を示す断面図である。図８および図９を参照して、これらの変形例では、面ファスナ１４５との摩擦を増大させるための摩擦増大手段として、リング５１の表面に凹凸形状が形成されている。
【００６９】
図８中に示す変形例では、リング５１の表面にローレット加工が施されている。これにより、リング５１の表面には、微細なピラミッドを規則正しく並べたようなギザギザ模様（あやめ模様）５６が形成されている。
【００７０】
図９中の変形例では、リング５１の表面に複数の溝５７が形成されている。溝５７は、リング５１の外周面の周方向に交差する方向に延びている。本変形例では、溝５７が、リング５１がシャフト状に延びる方向に平行に延びている。複数の溝５７は、リング５１の外周面の周方向に並んで設けられている。
【００７１】
これらの変形例によっても、ループファスナ１４１およびリング１６０間の摩擦を積極的に増大させ、血圧測定時における外装カバー１１０のずれを防ぐことができる。
【００７２】
以上に説明した、この考案の実施の形態における血圧計用カフの構造についてまとめて説明すると、本実施の形態における血圧計用カフ１００Ａは、帯状に延在する外観を有し、その帯状に延在する長手方向に沿って湾曲するように被験者の被測定部位としての上腕に巻き付けられる外装体としての外装カバー１１０と、外装カバー１１０に収容され、流体としての空気が供給される流体袋としての空気袋１５０と、長手方向における外装カバー１１０の一方端側に設けられ、外装カバー１１０が被験者の上腕に巻き回された時に、長手方向における外装カバー１１０の他方端側が挿通されるリング１６０と、外装カバー１１０の外表面１１０ｂに、外装カバー１１０の他方端側から一方端側に向けて帯状に設けられ、リング１６０に挿通され、リング１６０を基点に折り返された外装カバー１１０の他方端側の部分を、被験者の上腕に巻き回された外装カバー１１０の部分に固定するための面ファスナ１４５と、リング１６０に設けられ、面ファスナ１４５との摩擦を増大させる摩擦増大手段としてのグリップ部５２（ギザギザ模様５６，複数の溝５７）とを備える。
【００７３】
このように構成された、この考案の実施の形態における血圧計用カフ１００Ａによれば、リング５１の表面に高摩擦係数を有する材料から形成されたグリップ部５２を設けたり、リング５１の表面に凹凸形状を形成したりすることによって、血圧測定時における外装カバー１１０のずれを防ぐことができる。これにより、外装カバー１１０のずれに起因する空気袋１５０内の圧力変動を抑制し、血圧値の測定精度を向上させることができる。
【００７４】
なお、本実施の形態では、被測定部位として上腕が採用される血圧計用カフに本考案を適用した場合を説明したが、本考案は、被測定部位として手首や足首が採用される血圧計用カフにも適用が可能である。また、本実施の形態では、最高血圧および最低血圧が測定可能な血圧計に具備される血圧計用カフに本考案を適用した場合を説明したが、最高血圧および最低血圧以外の他の血圧情報（たとえば、平均血圧値、脈波、脈拍、ＡＩ（Augmentation Index）値等）が測定可能な血圧計に具備される血圧計用カフに本考案を適用することも可能である。
【００７５】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００７６】
この考案は、被験者の血圧値を測定するための血圧計に適用される。
【符号の説明】
【００７７】
１  血圧計、１０  本体、１１  ケーシング、２０  制御部、２１  表示部、２２  メモリ部、２３  操作部、２４  電源部、３０  エア系コンポーネント、３１  加圧ポンプ、３２  排気弁、３３  圧力センサ、３４  加圧ポンプ駆動回路、３５  排気弁駆動回路、３６  発振回路、４０  エア管、５１  リング、５２  グリップ部、５６  ギザギザ模様、５７  溝、６１  グリップ部、１００Ａ  血圧計用カフ、１１０  外装カバー、１１０ａ  内表面、１１０ｂ  外表面、１１１  内周側部分、１１２  外周側部分、１２０  外側カバー部材、１３０  内側カバー部材、１４０  バイアステープ、１４１  ループファスナ、１４２  フックファスナ、１４３  リング固定布、１４５  面ファスナ、１５０  空気袋、１５１  ニップル、１６０  リング。
【図１】
0003174765.tif 000003
【図２】
0003174765.tif 000004
【図３】
0003174765.tif 000005
【図４】
0003174765.tif 000006
【図５】
0003174765.tif 000007
【図６】
0003174765.tif 000008
【図７】
0003174765.tif 000009
【図８】
0003174765.tif 000010
【図９】
0003174765.tif 000011